(57)【要約】      （修正有）【目的】ケースの強度を向上させ、落下などによる衝撃で生じるケース合わせ目のずれによる隙間や、合わせ目部分のケース損傷などを阻止することが可能な巻尺を提供する。【解決手段】巻き取り用ばねを内装し且つ周囲に測定用テープを巻き回している回転ドラムをケース内に回転自在に支持して、巻尺の機構部分を収容する機構部ケース体４を構成し、この機構部ケース体４の一部分ないし全体に、別形成のケースたる被着ケース体５を被着する。また、測定用テープの先端に設けているフック７、及びケース外部に引き出した測定用テープを引き出し位置で止めておく制動手段のブレーキレバー８を有し、本制動手段は、ブレーキレバー８を測定用テープ方向に移動させることにより、ブレーキレバー８に接続するブレーキアーム先端のシューが測定用テープに当接して測定用テープを制動する。【選択図】図１
0003211440.tif 000002
【実用新案登録請求の範囲】
【請求項１】
複数のケース材を組み合わせて構成したケース内に、巻き取り用ばねを内装し且つ周囲に測定用テープを巻回する回転ドラムを回転自在に支持して巻尺の機構部分を形成し、さらに、この機構部分を収容するケースの一部分ないし全体に別形成のケースを被着していることを特徴とする巻尺。
【請求項２】
上記機構部分を収容するケースが、少なくとも２つ割り構成のケースであることを特徴とする請求項１に記載の巻尺。
【請求項３】
上記機構部分を収容するケースに、外部に引き出した測定用テープを引き出し位置で止めておくことが可能な制動手段を設けていることを特徴とする請求項１に記載の巻尺。
【請求項４】
上記別形成のケースが、機構部分を収容するケースを挿入するための開口を有したワンピース構成であることを特徴とする請求項１に記載の巻尺。
【考案の詳細な説明】
【技術分野】
【０００１】
本考案は、落下などの衝撃で生じるケース合わせ目のずれによる隙間や、合わせ目部分のケース損傷を生じ難くした巻尺に関する。
【背景技術】
【０００２】
従来、巻尺の一般的な概略構造は、測定用テープが周囲に巻回され、この測定用テープを巻き取るためのゼンマイばねを内装した回転ドラムが、複数のケース材を組み合わした構成、例えば２つ割りで構成されたケースの一方の半ケース内に立設する軸に回転自在に支持され、それぞれの半ケースどうしを固定用ねじで固定している。この構造は、組み立てがし易く、安定した組み立て品質を得るのに非常に有利なため、各メーカが昔から長期に渡り採用している構造である。
【０００３】
また、ケースの測定用テープの出入り口には、測定用テープ（先端フック）の巻き取り時の衝撃を緩和させるための衝撃緩衝手段が設けられ、さらに、ケースの適宜部位には、ケース外に引き出した測定用テープを引き出し位置で停止させておくための制動手段が設けられているのが普通である。
【０００４】
そして、ケースは落下による衝撃にも耐えられるように、半ケースどうしの合わせ目を段係合とし、また適当な厚みをもって形成しているが、メーカの想定に反し、衝撃によってケースが合わせ目でずれて隙間が生じることがあったり、合わせ目部分のケースが損傷（割れや欠けなど）しまうことがあった。
【０００５】
上述の隙間や割れの解決には、衝撃による変形を抑止できるようケース厚を増して落下などの耐衝撃性を向上させればよいのであるが、携帯用測定具である巻尺は、ケース厚の増厚はイコール自重の増加に繋がり、軽量の巻尺が優れた製品と認識されている今日の現状では、単にケース厚の増厚によって問題を解決することができないのである。
【先行技術文献】
【特許文献】
【０００６】
【特許文献１】特開２０００−２５８１０３号公報
【考案の概要】
【考案が解決しようとする課題】
【０００７】
本考案の目的とするところは、安定した組み立て品質を得るのに非常に有利な複数のケース材を組み合わせてなる従来の構造を変更することなく、またケースの厚みを殆ど変えることなくケースの強度を向上させ、落下などによる衝撃で生じるケース合わせ目のずれによる隙間や、合わせ目部分のケース損傷などを阻止することが可能な巻尺を提供できるようにすることにある。
【課題を解決するための手段】
【０００８】
上述した課題を解決するため本考案に係る巻尺は、複数のケース材を組み合わせて構成したケース内に、巻き取り用ばねを内装し且つ周囲に測定用テープを巻回する回転ドラムを回転自在に支持して巻尺の機構部分を形成し、さらに、この機構部分を収容するケースの一部分ないし全体に別形成のケースを被着していることを特徴とするものである。
【０００９】
上記機構部分を収容しているケースたる機構部ケースには、少なくとも２つ割り構成（２ピース）すなわち左右の半ケースの開口面を合わせて構成するケースを用いるのがコスト面や品質面などで有利であるが、左側部／中央部／右側部の各ケース材を合わせて構成する３ピース構成などの複数ピース構成のものを用いてもよい。
【００１０】
そして、回転ドラムに内装する巻き取り用ばねは、回転ドラムに巻き回する測定用テープの素材（金属やグラスファイバなど）やテープの長さなどによって高トルクのばねや低トルクのばねを適宜選定して用いている。
【００１１】
また、回転ドラムを回転自在に支持するには、ケース材に立設した軸に回転ドラムを軸支して行われるが、回転ドラムが回転自在に支持可能であれば上記軸支に限定するものではなく、適宜方法によって支持すればよい。
【００１２】
そして、機構部ケースは、塵挨の内部侵入を高に阻止できる形態にするのがよいが、機構部分を内装して完成したものを保管する時に塵挨の内部侵入を阻止可能な保管方法であれば、該ケースの任意の部位（側面など）に開口を形成してケースを軽量化（肉抜き）してもよい。
【００１３】
また、機構部ケースに、外部に引き出した測定用テープを引き出し位置で止めておくことが可能な制動手段を設ける場合もあり、該制動手段は、測定用テープを外部に引き出した後に制動手段の構成部材たるブレーキレバーを操作し、測定用テープを該引き出した位置に固定する巻尺に備える一般的なものや、外部に引き出した測定用テープから手を放すと同時に該引き出した位置に測定用テープが固定されるオートロック式のものなどが設けられる。
【００１４】
そして、機構部ケースの一部分ないし全体に別形成のケースたる被着ケースを被着するが、上記機構部ケースの形態によっては適宜形態を変える場合があり、例えば、機構部ケースを２つ割り（２ピース）構成とし、それぞれの半ケースの開口縁を組み合わせる（左右の半ケースの開口面を合わせる）ことによって１つのケースに形成する場合は、被着ケースを、機構部ケースを挿入するための開口（被せ口）を設けたワンピース構成のものにするのがよい。
【００１５】
また、機構部ケースと被着ケースとを２ピースなど複数のピース（ケース材）で構成する場合は、被着ケースを機構部ケースの一部もしくは全体に被装したときに、機構部ケースと被着ケースの組み合わされた半ケースのそれぞれの開口縁が同一面において交差するようにするのがよい。
【００１６】
そして、機構部ケースおよび被着ケースの素材も特に限定するものではなく、例えば、樹脂や金属など所望の素材で形成すればよい。また、特に被着ケースには薄くても丈夫なポリカーボネートや、軽いマグネシウムなどの素材を用いてもよい。
【考案の効果】
【００１７】
本考案の巻尺によれば、複数のケース材を組み合わせる従来の構造を変更することもなく、しかも巻尺の本体となる機構部ケースおよび被着ケースも従来のケース厚と殆ど同じ厚みのままでケース強度を向上でき、落下などの衝撃で生じるケース合わせ目のずれによる隙間や、合わせ目部分のケース損傷（割れや欠けなど）を阻止することができる。すなわち、落下などによる衝撃により、機構部ケースを構成している各半ケースがそれぞれ動こうとしても（ケース合わせ目がずれようとする）、機構部ケースに被さる被着ケースによって各半ケースの動きが抑制される。
【００１８】
また、本巻尺は、金型製作費や開発費が高額になる巻尺の基本構造を集約した機構部ケースに、巻尺のデザインを主に決定させる要素（ケースの形状／付加するオプション品など）を持たせた被着ケースを被せることで、本体ケース（巻尺）が構成（機構部ケースに被着ケースが被装されて本体ケース（巻尺）のデザインが完成する）されるので、例えば、巻尺のデザインを即座に市場の動向に合わせたいときには、少額の投資で済む被着ケースだけを変更することによって素早く新デザインの巻尺を市場投入することができる。しかも、被着ケースの形状は単純なので金型製作費も安価であるため投資を短期間で回収することができ、これにより、市場の動向に合わせた短期間の市場投入、また、小ロットでのＯＥＭ受注も行うことができる。
【００１９】
上述したＯＥＭにおいては、少額の投資で済む被着用ケースの利点を活かし、異なる形状の被着ケースやオプション品を複数用意することができるので、複数の問屋や小売店からＯＥＭ受注を受けてもこれら問屋や小売店の間で同じデザインの巻尺になってしまう恐れも少なく、問屋や小売店は自社の好みに合った巻尺を販売できる。そして、メーカにおいても多くの問屋や小売店からのＯＥＭ受注の商談に対応することができ、売上の増加に繋がる。
【図面の簡単な説明】
【００２０】
【図１】本考案に係る巻尺を示す斜視図。
【図２】機構部ケース体の一部切り欠き側面図。
【図３】本巻尺の斜視図。
【図４】機構部ケース体のケース構成形態の一例を示した背面から見た概略図。
【図５】他形態の機構部ケース体を示した側面図。
【図６】異なる形状の被着ケースの一例を示した図。
【図７】オプション品を装着した本巻尺の斜視図。
【考案を実施するための形態】
【００２１】
以下、本考案に係る巻尺を、添付図面に示す具体例に基づいて説明すると、図１中の（ａ）のように、巻き取り用ばね１を内装し且つ周囲に測定用テープ２を巻回する回転ドラム３をケース内に回転自在に軸支（軸６）して機構部分を収容する機構部ケース体４（図２を参照）を構成し、この機構部ケース体４の概ね後方部位に、所望の形状に形成した被着ケース体５を被装する。
【００２２】
また、図中の符号７は、測定用テープ２の先端に設けているフック、図中の符号８は、ケース外部に引き出した測定用テープ２を引き出し位置で止めておく制動手段のブレーキレバーであり、本制動手段は、ブレーキレバー８を測定用テープ２方向（図中では下方向）に移動させることにより、ブレーキレバー８に接続するブレーキアーム先端のシュー（図示は省略）が測定用テープ２に当接して測定用テープ２を制動するものである。
【００２３】
また、図中の符号９は、２ピース構成の機構部ケース体４の左右ベースケースを固定している固定用ねじである。
【００２４】
また、本実施例の被着ケース体５は、落下などによる衝撃をケース全体で吸収できるように、機構部ケース体４を挿入するための開口（被せ口１０）を設けたワンピース構成にしているので、被着ケース体５のケース厚をより薄くすることもできて、完成した巻尺の軽量化にも繋げられる。そして、被着ケース体５には薄くても丈夫なポリカーボネートや、軽いマグネシウムなどの素材を用いてもよく、さらなる強度向上や軽量化が可能である。
【００２５】
図１中の（ｂ）は、機構部ケース体４に被着ケース体５を被装して完成した本体ケース１１（巻尺）である。また、機構部ケース体４と被着ケース体５との固定は、公知の技術や部材によって適宜固定すればよく、一例としては、ねじによる固定や接着手段による固定や嵌め合いによる固定や圧入による固定などである。
【００２６】
そして、図３に示すように、落下などによって本体ケース１１（巻尺）に衝撃が加わることにより、機構部ケース体４を構成している各半ケース４ａ、４ｂが図中の矢印Ａ、Ａ’の方向にそれぞれ動こうとしても（ケース合わせ目がずれようとする）、機構部ケース体４に被さる被着ケース体５によって各半ケース４ａ、４ｂの矢印Ａ、Ａ’の方向への動きが抑制されて、機構部ケース体４の合わせ目１２にはずれは生じることがない。勿論、合わせ目１２がずれないので、合わせ目部分のケース損傷（割れや欠けなど）も生じない。
【００２７】
図４は、機構部ケース体のケース構成形態の一例を示した背面側から見た概略図であり、図４中の（ａ）は、２ピース構成（半ケース４ａ、４ｂ）の本実施例で示す機構部ケース体４である。また、図４中の（ｂ）は、３ピース構成とした時の機構部ケース体４の一例であり、図中の符号４ｃは右側ケース、図中の符号４ｄは中央ケース、図中の符号４ｅは左側ケースである。
【００２８】
図５は、他形態の機構部ケース体を示しており、本図は、ケース側面に開口１３を形成してケースを軽量化したものである。なお、ケース側面の開口１３は、機構部ケース体４に被着ケース体５が被装されることによって閉塞される。
【００２９】
図６は、異なる形状の被着ケースの一例を示した図であり、図６中の（ａ）は被着ケース体５ａで、図６中の（ｂ）は、被着ケース体５ａを機構部ケース体４に装着した本巻尺の側面図である。本被着ケース体５ａの装着により、巻尺の基本構造は同一のままで、図１中の（ｂ）に示した巻尺（本体ケース１１）とは別のデザインの巻尺となる。すなわち、被着ケースのデザイン変更だけで新デザインの巻尺を市場投入できる。
【００３０】
図７は、オプション品を装着した本巻尺であり、図７中の（ａ）は、オプション品たるベルトクリップ部材１４をケース側面に装着したものを示しており、図７中の（ｂ）は、オプション品たるハンドストラップ部材１５をケース背面に装着したものを示している。
【符号の説明】
【００３１】
１…巻き取り用ばね
２…測定用テープ
３…回転ドラム
４…機構部ケース体
４ａ…半ケース
４ｂ…半ケース
４ｃ…右側ケース
４ｄ…中央ケース
４ｅ…左側ケース
５…被着ケース体
５ａ…被着ケース体
６…軸
７…フック
８…ブレーキレバー
９…固定用ねじ
１０…被せ口
１１…本体ケース
１２…合わせ目
１３…開口
１４…ベルトクリップ部材
１５…ハンドストラップ部材
【図１】
0003211440.tif 000003
【図２】
0003211440.tif 000004
【図３】
0003211440.tif 000005
【図４】
0003211440.tif 000006
【図５】
0003211440.tif 000007
【図６】
0003211440.tif 000008
【図７】
0003211440.tif 000009